(57)【要約】【課題】復号鍵を予め記憶することなく情報コードのセキュリティ性を高め得る光学的情報読取装置を提供する。【解決手段】第１の情報および第２の情報に加えて第２の情報に基づく制御の実行を許可するか否かを判定するための判定用情報が記録される情報制限コードＣが読み取り対象である。そして、デコード処理により情報制限コードＣが解読されると、第１処理により第１の情報に基づく制御が実行され、判定処理によりキー操作部４３の入力操作による入力情報が判定用情報に一致すると判定される場合には、第２処理によりさらに第２の情報に基づく制御が実行される。【選択図】図３
2015069436.tif 000002
【特許請求の範囲】
【請求項１】
第１の情報および第２の情報が記録された情報コードを読み取る光学的情報読取装置であって、
前記情報コードには、さらに前記第２の情報に基づく制御の実行を許可するか否かを判定するための判定用情報が記録され、
前記情報コードを撮像する撮像手段と、
前記撮像手段によって撮像された前記情報コードを解読する解読手段と、
所定の情報を入力可能な入力手段と、
前記入力手段による入力情報が前記解読手段による前記情報コードの解読により得られた前記判定用情報に一致するか否かについて判定する判定手段と、
前記解読手段により解読された情報に基づく制御を実行する制御手段と、を備え、
前記制御手段は、前記第１の情報に基づく制御を実行するとともに、前記判定手段により前記入力情報が前記判定用情報に一致すると判定される場合にさらに前記第２の情報に基づく制御をも実行することを特徴とする光学的情報読取装置。
【請求項２】
前記入力手段による情報の入力を促す入力促進情報が表示される表示手段を備えることを特徴とする請求項１に記載の光学的情報読取装置。
【請求項３】
前記入力促進情報は、解読した前記第１の情報から得られる情報であって、正当な利用者に前記判定用情報を想起させる情報であることを特徴とする請求項２に記載の光学的情報読取装置。
【請求項４】
前記情報コードは、前記第１の情報および前記第２の情報に加えて第３の情報が記録されて生成され、
前記制御手段は、前記判定用情報と異なる情報が前記入力手段により入力されると、前記第３の情報に基づく制御を実行することを特徴とする請求項１〜３のいずれか一項に記載の光学的情報読取装置。
【請求項５】
前記表示手段には、前記入力促進情報として、前記判定用情報を選択肢の１つとする複数の選択肢が表示されることを特徴とする請求項２または３に記載の光学的情報読取装置。
【請求項６】
前記情報コードは、前記第１の情報および前記第２の情報に加えて第３の情報が記録されて生成され、
前記制御手段は、前記複数の選択肢のうち前記判定用情報と異なる選択肢の少なくとも１つを選択するための情報が前記入力手段により入力されると、前記第３の情報に基づく制御を実行することを特徴とする請求項５に記載の光学的情報読取装置。
【請求項７】
前記入力手段は、前記入力情報を入力操作可能な複数のキーを有するキー操作部であることを特徴とする請求項１〜６のいずれか一項に記載の光学的情報読取装置。
【請求項８】
前記情報コードが解読されてからの時間を計時する計時手段を備え、
前記制御手段は、前記計時手段により計時される時間が所定時間を経過する前に前記判定手段により前記入力情報が前記判定用情報に一致すると判定される場合に限り、さらに前記第２の情報に基づく制御を実行することを特徴とする請求項１〜７のいずれか一項に記載の光学的情報読取装置。
【請求項９】
前記制御手段により前記第２の情報に基づく制御が実行されることなく前記計時手段により計時される時間が前記所定時間を経過すると、前記入力手段による情報の入力がなかったことを報知する報知手段を備えることを特徴とする請求項８に記載の光学的情報読取装置。
【請求項１０】
外部機器と通信する通信手段と、
前記情報コードが解読されてから他の情報コードが解読されるまでに前記判定手段により判定された回数をカウントするカウント手段と、を備え、
前記カウント手段によりカウントされた回数が所定回数を超えると、その旨を示す情報が前記通信手段により前記外部機器に送信されることを特徴とする請求項１〜９のいずれか一項に記載の光学的情報読取装置。
【発明の詳細な説明】
【技術分野】
【０００１】
本発明は、光学的情報読取装置に関するものである。
【背景技術】
【０００２】
従来、情報コードを光学的に読み取る光学的情報読取装置に関する技術として、例えば、下記特許文献１に開示される二次元コードおよび読取装置が知られている。この二次元コードは、開示データコードと秘匿データコードとの間に終端識別コードが配置されるように生成されている。そして、このように生成される二次元コードを復号鍵を持たない一般仕様の読取装置で読み取ると、終端識別コードの前までの開示データコードが読取対象となり、秘匿データコードが読取対象とならない。一方、上述のように生成される二次元コードを復号鍵を有する読取装置で読み取ると、開示データコードおよび秘匿データコードの双方が読取対象となる。このため、一般仕様の読取装置の利用者には秘匿データの存在がわからないので、秘匿データのセキュリティ性を高めることができる。
【先行技術文献】
【特許文献】
【０００３】
【特許文献１】特開２００８−２９９４２２号公報
【発明の概要】
【発明が解決しようとする課題】
【０００４】
ところで、上述のような読み取りに復号鍵が必要となる複数種別の情報コードが読取対象となる場合、その種別数分の復号鍵を読取装置のメモリ等に予め記憶する必要がある。そうすると、このように複数の復号鍵を記憶した読取装置が正当な利用者と異なる第三者により不正に使用されると、秘匿すべき様々な情報が開示等されてしまうという問題がある。この問題は、１つの復号鍵が記憶された読取装置でも生じる得る問題であり、記憶される復号鍵の数が増えるほど不正使用による影響が顕著になる。
【０００５】
本発明は、上述した課題を解決するためになされたものであり、その目的とするところは、復号鍵を予め記憶することなく情報コードのセキュリティ性を高め得る光学的情報読取装置を提供することにある。
【課題を解決するための手段】
【０００６】
上記目的を達成するため、特許請求の範囲の請求項１に記載の発明は、第１の情報および第２の情報が記録された情報コード（Ｃ）を読み取る光学的情報読取装置（１０）であって、前記情報コードには、さらに前記第２の情報に基づく制御の実行を許可するか否かを判定するための判定用情報が記録され、前記情報コードを撮像する撮像手段（２８）と、前記撮像手段によって撮像された前記情報コードを解読する解読手段（４０）と、所定の情報を入力可能な入力手段（４３）と、前記入力手段による入力情報が前記解読手段による前記情報コードの解読により得られた前記判定用情報に一致するか否かについて判定する判定手段（４０）と、前記解読手段により解読された情報に基づく制御を実行する制御手段（４０）と、を備え、前記制御手段は、前記第１の情報に基づく制御を実行するとともに、前記判定手段により前記入力情報が前記判定用情報に一致すると判定される場合にさらに前記第２の情報に基づく制御をも実行することを特徴とする。
なお、上記各括弧内の符号は、後述する実施形態に記載の具体的手段との対応関係を示すものである。
【発明の効果】
【０００７】
請求項１の発明では、第１の情報および第２の情報に加えて第２の情報に基づく制御の実行を許可するか否かを判定するための判定用情報が記録される情報コードが読み取り対象である。そして、解読手段により上記情報コードが解読されると、制御手段により第１の情報に基づく制御が実行され、判定手段により入力手段による入力情報が判定用情報に一致すると判定される場合には、制御手段によりさらに第２の情報に基づく制御が実行される。
【０００８】
これにより、入力手段により判定用情報に一致する情報が入力されない限り第２の情報に基づく制御が実行されないため、判定用情報に一致する情報を入力できない第三者では第２の情報に基づく制御、例えば、第２の情報として記録された秘匿情報の表示処理等を実行することができないので、第２の情報に関する情報コードのセキュリティ性を高めることができる。特に、復号鍵としての役割を果たす判定用情報を読取装置の予めメモリ等に記憶しておく必要もないので、判定用情報の記憶作業が不要となり煩雑さが解消されるだけでなく、不正に持ち出された読取装置からの判定用情報の不正取得を確実に防止することができる。
【０００９】
請求項２の発明では、表示手段により入力手段による情報の入力を促す入力促進情報が表示されるため、利用者は視認した入力促進情報に応じて判定用情報に一致する情報を容易に入力することができる。
【００１０】
請求項３の発明では、入力促進情報は、解読した第１の情報から得られる情報であって、正当な利用者に判定用情報を想起させる情報であるため、正当な利用者と異なる第三者では表示手段に表示された入力促進情報を見ても判定用情報を正確に想起することができない。このため、正当な利用者と異なる第三者による第２の情報に基づく制御の実行を確実に防止でき、第２の情報に関するセキュリティ性を高めることができる。
【００１１】
請求項４の発明では、判定用情報と異なる情報が入力手段により入力されると、制御手段により第３の情報に基づく制御が実行される。これにより、判定用情報に一致する情報が入力される場合とこの判定用情報と異なる情報が入力される場合とで実行される制御内容を変更することができる。
【００１２】
請求項５の発明では、表示手段には、入力促進情報として、判定用情報を選択肢の１つとする複数の選択肢が表示されるため、利用者は、判定用情報に一致する情報の入力を容易に実施することができる。
【００１３】
請求項６の発明では、複数の選択肢のうち判定用情報と異なる選択肢の少なくとも１つを選択するための情報が入力手段により入力されると、制御手段により第３の情報に基づく制御が実行される。これにより、判定用情報に一致する情報が入力される場合とこの判定用情報と異なる情報が入力される場合とで実行される制御内容を変更することができる。
【００１４】
請求項７の発明では、入力手段は、入力情報を入力操作可能な複数のキーを有するキー操作部であるため、利用者は、容易に判定用情報に一致する情報を入力することができる。
【００１５】
請求項８の発明では、計時手段により計時される情報コードが解読されてからの時間が所定時間を経過する前に判定手段により入力情報が判定用情報に一致すると判定される場合に限り、制御手段によりさらに第２の情報に基づく制御が実行される。これにより、情報コードが解読されてからの時間が上記所定時間を経過するような場合には、正当な利用者による利用ではないとして、第２の情報に基づく制御の実行を確実に防止することができる。
【００１６】
請求項９の発明では、制御手段により第２の情報に基づく制御が実行されることなく計時手段により計時される時間が所定時間を経過すると、報知手段により入力手段による情報の入力がなかったことが報知される。これにより、利用者に対して、第２の情報に基づく制御を実行するための情報の入力がなかったことを確実に知らせることができる。
【００１７】
請求項１０の発明では、情報コードが解読されてから他の情報コードが解読されるまでに判定手段により判定された回数がカウント手段によりカウントされて、このカウントされた回数が所定回数を超えると、その旨を示す情報が通信手段により外部機器に送信される。カウントされた回数は判定用情報と異なる情報を入力した回数に相当するため、この回数が所定回数を超えた場合には判定用情報を知らない不正利用者が本発明に係る光学的情報読取装置を不正に利用していると判断できる。この場合には、その旨を外部機器に送信することで、外部機器を管理する管理会社等に当該読取装置の不正利用を通報することができる。
【図面の簡単な説明】
【００１８】
【図１】第１実施形態に係る光学的情報読取装置を概略的に示す説明図である。
【図２】図１の光学的情報読取装置の電気的構成を示すブロック図である。
【図３】第１実施形態における読取処理の流れを例示するフローチャートである。
【図４】第１実施形態において入力促進情報として暗証番号の入力を促す情報が画面表示された状態を示す説明図である。
【図５】第２実施形態における読取処理の流れを例示するフローチャートである。
【図６】第３実施形態において入力促進情報として複数の選択肢が画面表示された状態を示す説明図である。
【図７】第４実施形態における読取処理の流れを例示するフローチャートである。
【図８】第４実施形態において入力促進情報として複数の選択肢が画面表示された状態を示す説明図である。
【図９】第５実施形態における読取処理の流れを例示するフローチャートである。
【図１０】第５実施形態において入力促進情報が画面表示された状態を示す説明図である。
【図１１】第６実施形態における読取処理の流れを例示するフローチャートである。
【図１２】第７実施形態における読取処理の流れを例示するフローチャートである。
【発明を実施するための形態】
【００１９】
［第１実施形態］
以下、本発明の第１実施形態に係る光学的情報読取装置について、図面を参照して説明する。図１は、第１実施形態に係る光学的情報読取装置１０を概略的に示す説明図であり、図１（Ａ）は正面図、図１（Ｂ）は側面図である。図２は、図１の光学的情報読取装置１０の電気的構成を概略的に示すブロック図である。
本実施形態に係る光学的情報読取装置１０は、物品に付された情報コード、例えば、バーコードなどの一次元コードやＱＲコード（登録商標）などの二次元コードを光学的に読み取る携帯型の情報端末として構成されている。特に、本実施形態では、一部の情報の利用が制限可能な情報コード（以下、情報制限コードＣともいう）が読み取り対象として採用されている。
【００２０】
本実施形態に係る情報制限コードＣは、例えば、ＱＲコードとして構成されて、全ての利用者が利用可能な第１の情報と、許可された利用者のみが利用可能な第２の情報と、第２の情報に基づく制御の実行を許可するか否かを判定するための判定用情報とが記録されるように生成される。
【００２１】
次に、光学的情報読取装置１０の詳細構成について、図１および図２を参照して説明する。
図１（Ａ）（Ｂ）に示すように、光学的情報読取装置１０は、全体的に長手状に構成されており、樹脂材料などからなる上側ケース１１ａおよび下側ケース１１ｂが組み付けられて構成される長手状の筐体１１のよって外郭が構成され、この筐体１１の内部に各種部品（各種電気部品等）がメイン基板等に実装されて収容されている。
【００２２】
筐体１１の前方側には情報コードからの反射光を取り込む読取口１３が形成されている。この読取口１３は、筐体１１の内部に光を取り込みうる開口形状となっており、その開口が透明部材（例えば透明の樹脂部材）によって閉塞された構成をなしている。また、光学的情報読取装置１０には、筐体１１から露出する形態で様々な部品が設けられている。例えば、筐体１１の上面側には、液晶表示器４６の表示画面４６ａや、複数個の操作ボタン（数字キーや機能キー等）を有するキー操作部４３が設けられており、側面側には、読取指示用のトリガースイッチ４２などが設けられている。
【００２３】
図２に示すように、筐体１１の内部には、回路部２０が収容されており、この回路部２０は、主に、照明光源２１、受光センサ２８、結像レンズ２７等の光学系と、メモリ３５、制御回路４０、トリガースイッチ４２等のマイクロコンピュータ（以下「マイコン」という）系と、から構成されている。
【００２４】
光学系は、投光光学系と、受光光学系とに分かれている。投光光学系を構成する照明光源２１は、照明光Ｌｆを発光可能な照明光源として機能するもので、例えば、赤色のＬＥＤとこのＬＥＤの出射側に設けられるレンズとから構成されている。なお、図２では、情報制限コードＣが付された物品Ｒに向けて照明光Ｌｆを照射する例を概念的に示している。
【００２５】
受光光学系は、受光センサ２８、結像レンズ２７、反射鏡（図示略）などによって構成されている。受光センサ２８は、情報制限コードＣ等に照射されて反射した反射光Ｌｒを受光可能に構成されるもので、例えば、Ｃ−ＭＯＳやＣＣＤ等の固体撮像素子である受光素子を２次元に配列したエリアセンサが、これに相当する。なお、受光センサ２８は、「撮像手段」の一例に相当し得る。
【００２６】
結像レンズ２７は、外部から読取口１３を介して入射する入射光を集光して受光センサ２８の受光面２８ａに像を結像可能な結像光学系として機能するものである。本実施形態では、照明光源２１から照射された照明光Ｌｆが情報制限コードＣにて反射した後、この反射光Ｌｒを結像レンズ２７で集光し、受光センサ２８の受光面２８ａにコード像を結像させている。
【００２７】
マイコン系は、増幅回路３１、Ａ／Ｄ変換回路３３、メモリ３５、アドレス発生回路３６、同期信号発生回路３８、制御回路４０、トリガースイッチ４２、キー操作部４３、ブザー４４、バイブレータ４５、液晶表示器４６、通信インタフェース４８等から構成されている。
【００２８】
光学系の受光センサ２８から出力される画像信号（アナログ信号）は、増幅回路３１に入力されることで所定ゲインで増幅された後、Ａ／Ｄ変換回路３３に入力されると、アナログ信号からディジタル信号に変換される。そして、ディジタル化された画像信号、つまり画像データ（画像情報）は、生成されてメモリ３５に入力されると、所定のコード画像情報格納領域に蓄積される。なお、同期信号発生回路３８は、受光センサ２８およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００２９】
メモリ３５は、半導体メモリ装置で、例えばＲＡＭ（ＤＲＡＭ、ＳＲＡＭ等）やＲＯＭ（ＥＰＲＯＭ、ＥＥＰＲＯＭ等）がこれに相当する。このメモリ３５のうちのＲＡＭには、上述したコード画像情報格納領域のほかに、制御回路４０が算術演算や論理演算等の各処理時に利用する作業領域や読取条件テーブルも確保可能に構成されている。またＲＯＭには、読取処理や解析処理等を実行可能な所定プログラムやその他、照明光源２１、受光センサ２８等の各ハードウェアを制御可能なシステムプログラム等が予め格納されている。
【００３０】
制御回路４０は、光学的情報読取装置１０全体を制御可能なマイコンによって構成されており、ＣＰＵ、システムバス、入出力インタフェース等を有すると共に、情報処理機能を備えており、メモリ３５とともに情報処理装置を構成している。本実施形態では、制御回路４０に対し、トリガースイッチ４２、キー操作部４３、ブザー４４、バイブレータ４５、液晶表示器４６、通信インタフェース４８等が接続されている。
【００３１】
トリガースイッチ４２は、バーコード等の読取対象に対して照射光を照射する際に押圧操作されるスイッチであって、この押圧操作に応じた信号が制御回路４０に入力されるように構成されている。キー操作部４３は、複数個の操作ボタンを備えており、利用者のキー操作による数値や文字の入力操作に応じた操作信号が制御回路４０に入力されるように構成されている。ブザー４４は、公知のブザーによって構成されており、制御回路４０からの動作信号に応じて所定の音を発生させるように構成されている。バイブレータ４５は、携帯機器に搭載される公知のバイブレータによって構成されており、制御回路４０からの駆動信号に応じて振動を発生させるように構成されている。液晶表示器４６は、制御回路４０によって表示内容が制御されるように構成されている。通信インタフェース４８は、外部（例えばホスト装置）との間でのデータ通信を行うためのインタフェースとして構成されており、制御回路４０と協働して通信処理を行う構成をなしている。なお、液晶表示器４６は、「表示手段」の一例に相当し得る。
【００３２】
そして、本実施形態に係る光学的情報読取装置１０は、上述した情報制限コードＣとともに読取システムを構成し、制御回路４０にて実施される読取処理において、所定のタイミングで入力された情報に応じて、第１の情報に基づく制御を実行するか、第１の情報および第２の情報に基づく制御を実行する。
【００３３】
以下、本実施形態において実施される読取処理について、図３および図４を用いて詳細に説明する。図３は、第１実施形態における読取処理の流れを例示するフローチャートである。図４は、第１実施形態において入力促進情報として暗証番号の入力を促す情報が画面表示された状態を示す説明図である。
【００３４】
本実施形態では、第１の情報としてキー操作部４３を用いた暗証番号の入力を促すための入力促進情報が記憶され、第２の情報として当該光学的情報読取装置１０の利用者が秘匿したい秘匿情報が記録され、判定用情報として所定の暗証番号が記憶されて、情報制限コードＣが構成される。このように構成される情報制限コードＣは、所定の情報コード生成装置に対して利用者が上記秘匿情報や暗証番号等を入力することで予め生成されるもので、利用者にとって秘匿情報が暗号化されて記録されたメモとしての役割を果たす。
【００３５】
当該光学的情報読取装置１０が情報コードを読取可能な状態で、トリガースイッチ４２が押圧操作されることで読取処理が開始される。まず、図３のステップＳ１０１に示す撮像処理がなされる。この処理では、照明光源２１から照明光Ｌｆが読取口１３を介して照射されて、情報コード等からの反射光Ｌｒが受光センサ２８にて受光されると、この受光センサ２８から出力される信号に基づいて、当該情報コードを含む画像データが生成される。次に、ステップＳ１０３に示すデコード処理がなされ、生成された画像データのうち情報コードに相当するコード画像に対して公知のデコード処理が実施される。なお、ステップＳ１０３に示す処理を実施する制御回路４０は、「解読手段」の一例に相当し得る。
【００３６】
この処理により、情報コードとしてコード化された文字データ等がデコードされて解読されると（Ｓ１０５でＹｅｓ）、ステップＳ１０７に示す判定処理にて、デコードされた情報コードが情報制限コードＣであるか否かについて判定される。ここで、デコード結果に判定用情報等が含まれないことから、デコードされた情報コードが情報制限コードＣではない通常の情報コードであると判定されると（Ｓ１０７でＮｏ）、ステップＳ１０９に示す通常処理がなされ、デコード処理により解読された情報に基づく制御がなされる。なお、上記デコード処理が失敗した場合には（Ｓ１０５でＮｏ）、ステップＳ１１１に示すエラー報知処理がなされ、デコードが失敗したことがブザー４４の鳴動等を用いて報知される。
【００３７】
一方、デコード結果に判定用情報等が含まれていることから、デコードされた情報コードが情報制限コードＣであると判定されると（Ｓ１０７でＹｅｓ）、ステップＳ１１３に示す第１処理がなされる。この処理では、デコード処理により解読された第１の情報に基づく制御が実行される。本実施形態では、第１の情報は、キー操作部４３を用いた暗証番号の入力を促すための入力促進情報であり、図４に示すように、暗証番号の入力を促すための入力促進情報が液晶表示器４６の表示画面４６ａに表示される。なお、ステップＳ１１３に示す処理および後述するステップＳ１１９に示す処理を実施する制御回路４０は、「制御手段」の一例に相当し得る。
【００３８】
そして、表示画面４６ａに表示された入力促進情報を見た利用者により、キー操作部４３が操作されて所定の情報が入力されると（Ｓ１１５でＹｅｓ）、ステップＳ１１７に示す判定処理にて、入力された情報が判定用情報に一致するか否かについて判定される。なお、ステップＳ１１７に示す処理を実施する制御回路４０は、「判定手段」の一例に相当し得る。
【００３９】
ここで、判定用情報として記録された所定の暗証番号が例えば「１２３４」の４桁の数値であり、キー操作部４３の入力操作に応じて「１２３４」が入力されると、入力された情報が判定用情報に一致すると判定される（Ｓ１１７でＹｅｓ）。この場合には、ステップＳ１１９に示す第２処理がなされ、デコード処理により解読された第２の情報に基づく制御が実行される。本実施形態では、第２の情報として利用者が秘匿したい情報が記録されており、利用者が秘匿したい秘匿情報、例えば、個人情報や金融機関の暗証番号等が液晶表示器４６の表示画面４６ａに表示される。
【００４０】
一方、入力された情報が誤った情報であり判定用情報に一致しない場合には（Ｓ１１７でＮｏ）、上記第２処理がなされることなく読取処理が終了する。すなわち、判定用情報に一致する情報が入力されない限り、第２の情報に基づく制御が実行されることはない。
【００４１】
また、例えば、「１１１１１」の５桁の数値が判定用情報として記録された情報制限コードＣを読み取っている場合には、上記第１処理後に、キー操作部４３の入力操作に応じて「１１１１１」が入力操作された場合にのみ、上記第２処理が実行されることとなる。
【００４２】
以上説明したように、本実施形態に係る光学的情報読取装置１０では、第１の情報および第２の情報に加えて第２の情報に基づく制御の実行を許可するか否かを判定するための判定用情報が記録される情報制限コードＣが読み取り対象である。そして、ステップＳ１０３に示すデコード処理により情報制限コードＣが解読されると、ステップＳ１１３に示す第１処理により第１の情報に基づく制御が実行され、ステップＳ１１７に示す判定処理によりキー操作部４３の入力操作による入力情報が判定用情報に一致すると判定される場合には、ステップＳ１１９に示す第２処理によりさらに第２の情報に基づく制御が実行される。
【００４３】
これにより、キー操作部４３の入力操作により判定用情報に一致する情報が入力されない限り第２の情報に基づく制御が実行されないため、判定用情報に一致する情報を入力できない第三者では第２の情報に基づく制御を実行することができないので、第２の情報に関する情報制限コードＣのセキュリティ性を高めることができる。特に、復号鍵としての役割を果たす判定用情報を予めメモリ３５等に記憶しておく必要もないので、不正に持ち出された光学的情報読取装置１０からの判定用情報の不正取得を確実に防止することができる。また、上述のように判定用情報の記憶作業が不要となるため、初期設定等の煩雑さが軽減されるだけでなく、光学的情報読取装置１０の汎用性を高めることができる。
【００４４】
また、第２の情報として複数の情報（例えば、複数のパスワード）が秘匿情報として情報制限コードＣに記録される場合でも、利用者はその情報制限コードＣから各秘匿情報を取得するために１つの判定用情報をパスワードとして覚えていればよいので、利用者にとっての情報制限コードＣの利便性を高めることができる。
【００４５】
さらに、液晶表示器４６によりキー操作部４３の入力操作による情報の入力を促す入力促進情報が画面表示されるため、利用者は視認した入力促進情報に応じて判定用情報に一致する情報を容易に入力することができる。
【００４６】
特に、入力手段として、入力情報を入力操作可能な複数のキーを有するキー操作部４３が採用されるため、利用者は、容易に判定用情報に一致する情報を入力することができる。
【００４７】
上記第１実施形態の第１変形例として、液晶表示器４６等の表示手段を有しない光学的情報読取装置に本発明を適用することができる。
具体的には、ステップＳ１１３に示す第１処理において、第１の情報に基づく制御として、判定用情報が画面表示されることなく他の処理、例えば、後の入力操作に応じた情報の入力が可能な状態に移行する制御がなされてもよい。そして、正当な利用者のみが知っている判定用情報に応じた入力操作を実施することで（Ｓ１１７でＹｅｓ）、ステップＳ１１９に示す第２処理を実施することができる。
【００４８】
この場合には、入力促進情報が表示されないため、正当な利用者と異なる第三者では、判定用情報に応じた入力操作を待っている状態（Ｓ１１５にてＮｏとの判定が繰り返されている状態）であることさえ認識することができない。このため、正当な利用者と異なる第三者による第２の情報に基づく制御の実行を確実に防止でき、第２の情報に関するセキュリティ性を高めることができる。
【００４９】
上記第１実施形態の第２変形例として、第１の情報として記録される入力促進情報は、正当な利用者に判定用情報を想起させる情報であってもよい。具体的には、例えば、正当な利用者が好きな文章である「春はあけぼの。ようよう白くなりゆく山際，少しあかりて，紫だちたる雲の細くたなびきたる」を判定用情報とし、入力促進情報を好きな文章を入力させるための情報として情報制限コードＣを生成することができる。
【００５０】
これにより、正当な利用者と異なる第三者では液晶表示器４６の表示画面４６ａに表示された「好きな文章を入力して下さい。」という入力促進情報を見ても、「春はあけぼの。ようよう白くなりゆく山際，少しあかりて，紫だちたる雲の細くたなびきたる」という判定用情報を正確に想起することができない。一方、正当な利用者であれば、自分の好きな文章なので、長い文章であっても正確に入力操作することができる。このため、正当な利用者と異なる第三者による第２の情報に基づく制御の実行を確実に防止でき、第２の情報に関するセキュリティ性を高めることができる。特に、正当な利用者にとっては、複数のパスワード等を個別に覚えるよりも長い文章を覚える方が容易であるため、利用者にとっての情報制限コードＣの利便性をさらに高めることができる。
【００５１】
なお、本実施形態に係る光学的情報読取装置１０は、上述したように専用の情報コード読み取り機能を有する携帯端末として構成されることに限らず、所定のプログラム等をインストールすることで上記読取処理を実施可能な携帯電話またはスマートフォンとして構成されてもよい。
【００５２】
［第２実施形態］
次に、本第２実施形態に係る光学的情報読取装置について、図５を参照して説明する。図５は、第２実施形態における読取処理の流れを例示するフローチャートである。
本第２実施形態では、上述した読取処理について、図３に示すフローチャートに代えて図５に示すフローチャートに基づいて演算処理する点が、上記第１実施形態に係る光学的情報読取装置と主に異なる。したがって、第１実施形態の光学的情報読取装置と実質的に同一の構成部分には、同一符号を付し、その説明を省略する。
【００５３】
本実施形態では、上述した第１の情報および第２の情報に加えて第３の情報が記録されて生成される情報制限コードＣが読み取り対象であり、上述した読取処理では、入力された情報が判定用情報に一致しない場合には、上記第３の情報に基づく第３処理が実行される。
【００５４】
具体的には、本実施形態に係る情報制限コードＣは、例えば、Ａ社の製品または広告用の配布物等に表示される情報コードであって、第１の情報として、Ａ社に関する質問事項とこの質問事項に対して操作部を用いた回答の入力を促すための情報とが入力促進情報として記憶されている。また、上記情報制限コードＣには、第２の情報として、Ａ社の製品の割引券を発行するためのＵＲＬを表示するための情報が記録されている。また、本実施形態に係る情報制限コードＣには、第３の情報として、Ａ社の広告用のＵＲＬを表示するための情報が記録されている。また、上記情報制限コードＣには、判定用情報として、上記質問事項に対する回答に関する情報が記憶されている。
【００５５】
そして、本実施形態に係る光学的情報読取装置１０は、キー操作部４３および液晶表示器４６と同等の操作部および液晶表示器を有し、所定のプログラム等をインストールすることで上記読取処理を実施可能な携帯電話またはスマートフォンとして構成されている。なお、本実施形態に係る光学的情報読取装置１０は、上記第１実施形態と同様に、専用の情報コード読み取り機能を有する携帯端末として構成されてもよい。
【００５６】
以下、本実施形態にて実施される読取処理について、図５に示すフローチャートを用いて詳細に説明する。
読取処理が開始されて、上記第１実施形態と同様に情報制限コードＣがデコードされると（図５のＳ１０７でＹｅｓ）、ステップＳ１１３に示す第１処理にて第１の情報に基づく制御として、Ａ社に関する質問事項等が液晶表示器の表示画面４６ａに表示される。そして、操作部が操作されて所定の情報が入力され（Ｓ１１５でＹｅｓ）、この入力された情報が上記質問事項に対する回答に一致すると（Ｓ１１７でＹｅｓ）、ステップＳ１１９に示す第２処理にて第２の情報に基づく制御として、Ａ社の製品の割引券を発行するためのＵＲＬが液晶表示器の表示画面４６ａに表示される。例えば、利用者は、Ａ社の特定の製品のブランド名を聞く質問に対して正確な回答を入力操作することで、そのブランドの製品の割引券を発行するＵＲＬを利用して割引を受けることができる。
【００５７】
一方、入力された情報が判定用情報に一致しない場合には（Ｓ１１７でＮｏ）、ステップＳ１２１に示す第３処理にて第３の情報に基づく制御として、Ａ社の広告用のＵＲＬが液晶表示器の表示画面４６ａに表示される。この場合には、利用者は、Ａ社の特定の製品のブランド名を聞く質問に対して誤った回答を入力操作したとしても、Ａ社の広告用のＵＲＬを利用してＡ社の製品の情報を知ることができる。
【００５８】
以上説明したように、本実施形態に係る光学的情報読取装置１０では、判定用情報と異なる情報が操作部の入力操作により入力されると、ステップＳ１２１に示す第３処理により第３の情報に基づく制御が実行される。これにより、判定用情報に一致する情報が入力される場合とこの判定用情報と異なる情報が入力される場合とで実行される制御内容を変更することができる。
【００５９】
そして、上述のように生成される情報制限コードＣを配布するＡ社は、情報制限コードＣが表示された製品の購入を検討する購入検討者に対して、容易に割引サービスや商品情報等の情報を提供することができる。
【００６０】
なお、本実施形態に係る情報制限コードＣは、例えば、第１の情報として本日の日付（例えば４桁）の入力を促すための入力促進情報が記憶され、判定用情報として本日の日付を取得するための情報が記録されてもよい。この場合には、正解の日付が入力されると、第２の情報に基づく制御が実行され、間違った日付が入力されると、第３の情報に基づく制御が実行される。このようにしても、判定用情報に一致する情報が入力される場合とこの判定用情報と異なる情報が入力される場合とで実行される制御内容を変更することができる。
【００６１】
［第３実施形態］
次に、本第３実施形態に係る光学的情報読取装置について、図６を参照して説明する。図６は、第３実施形態において入力促進情報として複数の選択肢が画面表示された状態を示す説明図である。
本第３実施形態では、入力促進情報として判定用情報を選択肢の１つとする複数の選択肢が画面表示される点が、上記第２実施形態に係る光学的情報読取装置と主に異なる。したがって、第２実施形態の光学的情報読取装置と実質的に同一の構成部分には、同一符号を付し、その説明を省略する。
【００６２】
本実施形態では、第１処理による第１の情報に基づく制御として、判定用情報を選択肢の１つとする複数の選択肢が入力促進情報として液晶表示器の表示画面４６ａに表示され、判定用情報と異なる選択肢が操作部の入力操作により選択されると、上記第３の情報に基づく第３処理が実行される。
【００６３】
具体的には、本実施形態に係る情報制限コードＣは、例えば、Ａ社が販売する飲料に表示される情報コードであって、第１の情報として、その製品に関する質問事項（本実施形態では「今話題のＳｐｒｏｔｓ飲料のメーカはどこ？」との文言）と、この質問事項に対して操作部を用いて選択肢を選択するための入力を促すための情報（本実施形態ではＡ社〜Ｄ社を選択するための４つの選択肢）とが入力促進情報として記憶されている。また、上記情報制限コードＣには、第２の情報として、Ａ社の製品の割引券を発行するためのＵＲＬを表示するための情報が記録されている。また、上記情報制限コードＣには、第３の情報として、Ａ社のその製品を紹介する広告用のＵＲＬを表示するための情報が記録されている。また、上記情報制限コードＣには、判定用情報として、Ａ社が選択されたときの情報が記憶されている。
【００６４】
以下、本実施形態にて実施される読取処理について、図５および図６を用いて詳細に説明する。
読取処理が開始されて、上記第２実施形態と同様に情報制限コードＣがデコードされると（図５のＳ１０７でＹｅｓ）、ステップＳ１１３に示す第１処理にて第１の情報に基づく制御として、図６に示すように、その製品に関する質問事項として、「今話題のＳｐｒｏｔｓ飲料のメーカはどこ？」との文言と、回答としてＡ社〜Ｄ社を選択するための４つの選択肢が液晶表示器の表示画面４６ａに表示される。
【００６５】
そして、操作部を用いた選択肢を選択するための入力操作がなされ（Ｓ１１５でＹｅｓ）、この入力された選択情報がＡ社が選択されたときの情報に一致すると（Ｓ１１７でＹｅｓ）、ステップＳ１１９に示す第２処理にて第２の情報に基づく制御がなされる。例えば、Ａ社を選択するために、操作部の「１」のキーに続いて「エンターキー」が操作されると、Ａ社の製品の割引券を発行するためのＵＲＬが液晶表示器の表示画面４６ａに表示される。
【００６６】
一方、入力された選択情報がＡ社が選択されたときの情報に一致しない場合、例えば、Ｂ社が選択されたときの情報が入力された場合には（Ｓ１１７でＮｏ）、ステップＳ１２１に示す第３処理にて第３の情報に基づく制御として、Ａ社の広告用のＵＲＬが液晶表示器の表示画面４６ａに表示される。
【００６７】
このように、本実施形態に係る光学的情報読取装置１０では、液晶表示器の表示画面４６ａには、入力促進情報として、判定用情報を選択肢の１つとする複数の選択肢が表示されるため、利用者は、判定用情報に一致する情報の入力を容易に実施することができる。
【００６８】
特に、複数の選択肢のうち判定用情報と異なる選択肢の少なくとも１つを選択するための情報が操作部の入力操作により入力されると、ステップＳ１２１に示す第３処理により第３の情報に基づく制御が実行される。このようにしても、判定用情報に一致する情報が入力される場合とこの判定用情報と異なる情報が入力される場合とで実行される制御内容を変更することができる。
【００６９】
上記第３実施形態の変形例に係る情報制限コードＣとして、例えば、以下に示すような情報が記憶された情報コードを採用することができる。
上記変形例に係る情報制限コードＣは、アクション映画のパンフレットに表示される情報コードであって、第１の情報として、その映画のジャンルに関する質問事項と、この質問事項に対して操作部を用いて選択肢を選択するための入力を促すための情報（本第１変形例では１：アクション、２：ＳＦ、３：コメディ、４：サスペンス、５：時代劇を選択するための５つの選択肢）とが入力促進情報として記憶されている。また、上記情報制限コードＣには、第２の情報として、その映画の割引券を発行するためのＵＲＬを表示するための情報が記録されている。また、上記情報制限コードＣには、第３の情報として、その映画の前売り券に関するＵＲＬを表示するための情報が記録されている。また、上記情報制限コードＣには、判定用情報として、その映画のジャンルである「アクション」が選択されたときの情報が記憶されている。
【００７０】
そして、正解である「アクション」が選択されると（Ｓ１１７でＹｅｓ）、ステップＳ１１９に示す第２処理にて第２の情報に基づく制御として、その映画の割引券を発行するための液晶表示器の表示画面４６ａに表示される。一方、「アクション」と異なる選択肢が選択されると（Ｓ１１７でＮｏ）、ステップＳ１２１に示す第３処理にて第３の情報に基づく制御として、その映画の前売り券に関するＵＲＬが液晶表示器の表示画面４６ａに表示される。
【００７１】
このようにしても、正解と異なる情報が選択入力された場合に、第２の情報と異なる第３の情報に基づく制御として、所定の情報を表示する等の制御を実施することができる。
【００７２】
［第４実施形態］
次に、本第４実施形態に係る光学的情報読取装置について、図７および図８を参照して説明する。図７は、第４実施形態における読取処理の流れを例示するフローチャートである。図８は、第４実施形態において入力促進情報として複数の選択肢が画面表示された状態を示す説明図である。
【００７３】
本第４実施形態では、選択肢ごとに実行される制御が異なる点が、上記第３実施形態に係る光学的情報読取装置と主に異なる。したがって、第３実施形態の光学的情報読取装置と実質的に同一の構成部分には、同一符号を付し、その説明を省略する。
【００７４】
本実施形態では、情報制限コードＣは、複数の判定用情報とともにいずれかの判定用情報に一致する情報が入力された際に制御される第２の情報が判定用情報ごとに記録されて生成されている。このため、第１処理により第１の情報に基づく制御として、複数の選択肢が入力促進情報として液晶表示器の表示画面４６ａに表示され、操作部の入力操作によりいずれかの選択肢が選択されると、その選択肢に応じた制御が実行される。
【００７５】
具体的には、本実施形態に係る情報制限コードＣは、例えば、Ａ社が販売する飲料に表示される情報コードであって、第１の情報として、その製品を購入する購入者に対する質問事項（本実施形態では「あなたの好きな飲み物は？」との文言）と、この質問事項に対して操作部を用いて選択肢を選択するための入力を促すための情報（本実施形態では１：お茶、２：ジュース、３：炭酸飲料、４：スポーツ飲料を選択するための４つの選択肢）とが入力促進情報として記憶されている。また、上記情報制限コードＣには、Ａ社が販売するお茶に関する広告用のＵＲＬを表示するための情報Ａと、Ａ社が販売するジュースに関する広告用のＵＲＬを表示するための情報Ｂと、Ａ社が販売する炭酸飲料に関する広告用のＵＲＬを表示するための情報Ｃと、Ａ社が販売するスポーツ飲料に関する広告用のＵＲＬを表示するための情報Ｄと、が記録されている。また、上記情報制限コードＣには、判定用情報として、選択入力された情報が「１：お茶」が選択されたときの情報に一致する場合に情報Ａに関する制御を実施し、選択入力された情報が「２：ジュース」が選択されたときの情報に一致する場合に情報Ｂに関する制御を実施し、選択入力された情報が「３：炭酸飲料」が選択されたときの情報に一致する場合に情報Ｃに関する制御を実施し、選択入力された情報が「４：スポーツ飲料」が選択されたときの情報に一致する場合に情報Ｄに関する制御を実施するための情報が記録されている。
【００７６】
以下、本実施形態にて実施される読取処理について、図７に示すフローチャートを用いて詳細に説明する。
読取処理が開始されて、上記第３実施形態と同様に情報制限コードＣがデコードされると（図７のＳ１０７でＹｅｓ）、ステップＳ１１３に示す第１処理にて第１の情報に基づく制御として、図８に示すように、購入者に対する質問事項等が液晶表示器の表示画面４６ａに表示される。
【００７７】
そして、操作部が操作されて所定の情報が選択入力され（Ｓ１１５でＹｅｓ）、この選択入力された情報が「１：お茶」が選択されたときの情報に一致すると、ステップＳ１２３に示す情報Ａに基づく制御がなされ、Ａ社が販売するお茶に関する広告用のＵＲＬが液晶表示器の表示画面４６ａに表示される。また、選択入力された情報が「２：ジュース」が選択されたときの情報に一致すると、ステップＳ１２５に示す情報Ｂに基づく制御がなされ、Ａ社が販売するジュースに関する広告用のＵＲＬが液晶表示器の表示画面４６ａに表示される。また、選択入力された情報が「３：炭酸飲料」が選択されたときの情報に一致すると、ステップＳ１２７に示す情報Ｃに基づく制御がなされ、Ａ社が販売する炭酸飲料に関する広告用のＵＲＬが液晶表示器の表示画面４６ａに表示される。また、選択入力された情報が「４：スポーツ飲料」が選択されたときの情報に一致すると、ステップＳ１２９に示す情報Ｄに基づく制御がなされ、Ａ社が販売するスポーツ飲料に関する広告用のＵＲＬが液晶表示器の表示画面４６ａに表示される。
【００７８】
このように、本実施形態に係る光学的情報読取装置１０では、液晶表示器の表示画面４６ａに入力促進情報として複数の選択肢が表示され、操作部の入力操作によりいずれかの選択肢が選択されると、その選択肢に応じた制御が実行される。このため、利用者は、選択のため情報の入力を容易に実施できるだけでなく、その選択に応じた様々な情報に基づく制御を実行させることができる。
【００７９】
［第５実施形態］
次に、本第５実施形態に係る光学的情報読取装置について、図９および図１０を参照して説明する。図９は、第５実施形態における読取処理の流れを例示するフローチャートである。図１０は、第５実施形態において入力促進情報が画面表示された状態を示す説明図であり、図１０（Ａ）は入力促進情報の一部として２つの選択肢が画面表示された状態を示し、図１０（Ｂ）は入力促進情報の一部として暗証番号の入力を促す情報が画面表示された状態を示す。
【００８０】
本第５実施形態では、選択肢の選択後にさらに他の情報を入力させる点が、上記第４実施形態に係る光学的情報読取装置と主に異なる。したがって、第４実施形態の光学的情報読取装置と実質的に同一の構成部分には、同一符号を付し、その説明を省略する。
【００８１】
本実施形態では、読み取ることで光学的情報読取装置の設定を変更するための情報制限コードＣが採用されている。
具体的には、本実施形態に係る情報制限コードＣは、例えば、Ｂｌｕｅｔｏｏｔｈ（登録商標）やＷｉ−Ｆｉ（登録商標）などの無線通信方式を設定するための情報コードであって、第１の情報として、選択可能な無線通信方式の表示と、無線通信方式を選択させるための情報（本実施形態では１：Ｂｌｕｅｔｏｏｔｈ、２：Ｗｉ−Ｆｉを選択するための２つの選択肢）とが入力促進情報として記憶されている。また、上記情報制限コードＣには、Ｂｌｕｅｔｏｏｔｈ接続設定に関する情報と、Ｗｉ−Ｆｉ接続設定に関する情報と、暗証番号と、が記録されている。
【００８２】
以下、本実施形態にて実施される読取処理について、図９に示すフローチャートを用いて詳細に説明する。
読取処理が開始されて、上記第４実施形態と同様に情報制限コードＣがデコードされると（図９のＳ１０７でＹｅｓ）、ステップＳ１１３に示す第１処理にて第１の情報に基づく制御として、図１０（Ａ）に示すように、無線通信可能な接続方法として、「Ｂｌｕｅｔｏｏｔｈ」と「Ｗｉ−Ｆｉ」との２つが、入力促進情報として液晶表示器の表示画面４６ａに表示される。
【００８３】
そして、操作部が操作されて所定の情報が選択入力され（Ｓ１１５でＹｅｓ）、この選択入力された情報が「１：Ｂｌｕｅｔｏｏｔｈ」が選択されたときの情報に一致すると、ステップＳ１３１に示す暗証番号入力促進情報表示処理がなされる。この処理では、図１０（Ｂ）に示すように、暗証番号の入力を促すための情報が入力促進情報として液晶表示器の表示画面４６ａに表示される。その後、操作部の入力操作に応じて正確な暗証番号が入力されると（Ｓ１３３でＹｅｓ）、解読されたＢｌｕｅｔｏｏｔｈ接続設定に関する情報に基づいてステップＳ１３５にてＢｌｕｅｔｏｏｔｈ接続するための処理がなされる。なお、間違った暗証番号が入力操作されると（Ｓ１３３でＮｏ）、接続設定されることなく読取処理が終了する。
【００８４】
一方、選択入力された情報が「２：Ｗｉ−Ｆｉ」が選択されたときの情報に一致すると、ステップＳ１３７に示す暗証番号入力促進情報表示処理がなされる。この処理では、図１０（Ｂ）に示すように、暗証番号の入力を促すための情報が入力促進情報として液晶表示器の表示画面４６ａに表示される。その後、操作部の入力操作に応じて正確な暗証番号が入力されると（Ｓ１３９でＹｅｓ）、解読されたＷｉ−Ｆｉ接続設定に関する情報に基づいてステップＳ１４１にてＷｉ−Ｆｉ接続するための処理がなされる。なお、間違った暗証番号が入力操作されると（Ｓ１３９でＮｏ）、接続設定されることなく読取処理が終了する。
【００８５】
このように、本実施形態に係る光学的情報読取装置１０では、液晶表示器の表示画面４６ａに入力促進情報として複数の選択肢が表示され、操作部の入力操作によりいずれかの選択肢が選択されると、その選択肢に応じてさらに他の情報を入力させることができる。特に、さらなる他の情報として、上述したように暗証番号等を入力させることで、選択された制御に関するセキュリティ性を高めることができる。
【００８６】
［第６実施形態］
次に、本第６実施形態に係る光学的情報読取装置について、図１１を参照して説明する。図１１は、第６実施形態における読取処理の流れを例示するフローチャートである。
本第６実施形態では、上述した読取処理について、図３に示すフローチャートに代えて図１１に示すフローチャートに基づいて演算処理する点が、上記第１実施形態に係る光学的情報読取装置と主に異なる。したがって、第１実施形態の光学的情報読取装置と実質的に同一の構成部分には、同一符号を付し、その説明を省略する。
【００８７】
以下、本実施形態にて実施される読取処理について、図１１に示すフローチャートを用いて詳細に説明する。
読取処理が開始されて、上記第１実施形態と同様に情報制限コードＣがデコードされると（図１１のＳ１０７でＹｅｓ）、ステップＳ１１３に示す第１処理にて第１の情報に基づく制御として、Ａ社に関する質問事項等が液晶表示器４６の表示画面４６ａに表示される。
【００８８】
次に、ステップＳ１４３に示す計時処理がなされ、情報制限コードＣが表示画面４６ａに表示されてからの経過時間ｔの計時が開始される。なお、ステップＳ１４３に示す処理を実施する制御回路４０は、「計時手段」の一例に相当し得る。
【００８９】
そして、キー操作部４３の操作による情報の入力がない場合には（Ｓ１１５でＮｏ）、ステップＳ１４５にて、経過時間ｔが所定時間（例えば、数分）を経過しているか否かについて判定される。ここで、経過時間ｔが上記所定時間を経過していない場合には（Ｓ１４５でＮｏ）、再度ステップＳ１１５からの処理がなされ、キー操作部４３の操作により情報が入力されるか、経過時間ｔが上記所定時間を経過するまで、ステップＳ１１５，Ｓ１４５にてＮｏとの判定が繰り返される。また、入力された情報が誤った情報であり判定用情報に一致しない場合には（Ｓ１１７でＮｏ）、ステップＳ１１５からの処理が繰り返される。
【００９０】
そして、経過時間ｔが所定時間を経過する前に判定用情報に一致する情報がキー操作部４３の入力操作に応じて入力されると（Ｓ１１５，Ｓ１１７でＹｅｓ）、ステップＳ１１９に示す第２処理がなされ、デコード処理により解読された第２の情報に基づく制御が実行される。
【００９１】
一方、判定用情報と異なる情報が入力され続けるか、そもそも何も情報が入力されないために、経過時間ｔが所定時間を経過すると（Ｓ１４５でＹｅｓ）、ステップＳ１４７に示す報知処理がなされる。この処理では、液晶表示器４６の表示画面４６ａにキー操作部４３の操作により判定用情報に一致する情報の入力がなかったことが表示されて報知される。そして、第２の情報に基づく制御が実行されることなく、読取処理が終了する。
【００９２】
なお、本実施形態では、判定用情報に一致する情報が所定時間内に入力されなかったことの報知は、液晶表示器４６の表示画面４６ａに表示されることでなされることに限らず、ブザー４４の鳴動等による他の報知手段による報知によりなされてもよい。
【００９３】
以上説明したように、本実施形態に係る光学的情報読取装置１０では、情報コードが解読されてからの経過時間ｔが所定時間を経過する前にキー操作部４３の入力操作に応じて入力された情報が判定用情報に一致すると判定される場合に限り、さらに第２の情報に基づく制御が実行される。これにより、情報コードが解読されてからの経過時間ｔが上記所定時間を経過するような場合には、正当な利用者による利用の可能性が低いために正当な利用者による利用ではないとして、第２の情報に基づく制御の実行を確実に防止することができる。
【００９４】
特に、第２の情報に基づく制御が実行されることなく経過時間ｔが所定時間を経過すると、報知処理によりキー操作部４３の操作による判定用情報に一致する情報の入力がなかったことが表示されて報知される。これにより、利用者に対して、第２の情報に基づく制御を実行するための情報の入力がなかったことを確実に知らせることができる。
【００９５】
なお、上述した経過時間ｔが所定時間を経過する場合に第２の情報に基づく制御を実行しない特徴的構成は、第２実施形態など他の実施形態に適用してもよい。特に、第２実施形態では、図１０に示す流れの読取処理において報知処理（Ｓ１４７）に代えて第３処理（Ｓ１２１）を実施することで、上記特徴的構成を適用することができる。この場合には、判定用情報と異なる情報が入力され続けるか、そもそも何も情報が入力されないために、経過時間ｔが所定時間を経過すると（Ｓ１４５でＹｅｓ）、第２処理が実施されることなく第３処理が実施されることとなる。
【００９６】
［第７実施形態］
次に、本第７実施形態に係る光学的情報読取装置について、図１２を参照して説明する。図１２は、第７実施形態における読取処理の流れを例示するフローチャートである。
本第７実施形態では、上述した読取処理について、図３に示すフローチャートに代えて図１２に示すフローチャートに基づいて演算処理する点が、上記第１実施形態に係る光学的情報読取装置と主に異なる。したがって、第１実施形態の光学的情報読取装置と実質的に同一の構成部分には、同一符号を付し、その説明を省略する。
【００９７】
本実施形態では、正当な利用者と異なる不正利用者による光学的情報読取装置１０の不正利用を防止するため、キー操作部４３の入力操作に応じて入力された情報が判定用情報に一致しない回数（以下、不一致回数Ｎともいう）が所定回数Ｎｔｈを超える場合に、その旨を、管理会社等に通報する。本実施形態では、管理会社等への通報は、管理会社等により管理されてインターネット等の所定のネットワークに接続されるサーバ等の外部装置に対して、所定の情報を通信インタフェース４８を介して送信することで実施される。なお、通信インタフェース４８は、「通信手段」の一例に相当し得る。
【００９８】
以下、本実施形態にて実施される読取処理について、図１２に示すフローチャートを用いて詳細に説明する。
読取処理が開始されて、上記第１実施形態と同様に情報制限コードＣがデコードされると（図１２のＳ１０７でＹｅｓ）、ステップＳ１１３に示す第１処理にて第１の情報に基づく制御として、Ａ社に関する質問事項等が液晶表示器４６の表示画面４６ａに表示される。
【００９９】
そして、キー操作部４３の入力操作に応じて所定の情報が入力され（Ｓ１１５でＹｅｓ）、この入力された情報が判定用情報に一致しない場合には（Ｓ１１７でＮｏ）、ステップＳ１４９に示す処理がなされる。この処理では、不一致回数Ｎが、インクリメントされるようにカウント（Ｎ＝Ｎ＋１）される。なお、不一致回数Ｎは、情報制限コードＣが解読されてから他の情報制限コードＣが解読されるまでにステップＳ１１７に示す判定処理にてＮｏと判定された回数であり、本読取処理が開始されるごとに初期化されて０に設定されるものである。なお、ステップＳ１４９に示す処理を実施する制御回路４０は、「カウント手段」の一例に相当し得る。
【０１００】
次に、ステップＳ１５１に示す判定処理にて、カウントされた不一致回数Ｎが所定回数Ｎｔｈを超えるか否かについて判定され、不一致回数Ｎが所定回数Ｎｔｈ以下であれば（Ｓ１５１でＮｏ）、ステップＳ１１５からの処理が繰り返される。
【０１０１】
そして、不一致回数Ｎが所定回数Ｎｔｈを超える前に判定用情報に一致する情報がキー操作部４３の入力操作に応じて入力されると（Ｓ１１５，Ｓ１１７でＹｅｓ）、ステップＳ１１９に示す第２処理がなされ、デコード処理により解読された第２の情報に基づく制御が実行される。
【０１０２】
一方、判定用情報に一致する情報がキー操作部４３の入力操作に応じて入力される前に不一致回数Ｎが所定回数Ｎｔｈを超えると（Ｓ１５１でＹｅｓ）、ステップＳ１５３に示す送信処理がなされる。この処理では、上記管理会社等が管理する外部機器に対して、不一致回数Ｎが所定回数Ｎｔｈを超えたことを示す警告情報が通信インタフェース４８を介して送信される。そして、第２の情報に基づく制御が実行されることなく、読取処理が終了する。
【０１０３】
以上説明したように、本実施形態に係る光学的情報読取装置１０では、情報制限コードＣが解読されてから他の情報制限コードＣが解読されるまでにステップＳ１１７に示す判定処理にてＮｏと判定された不一致回数Ｎがカウントされて、このカウントされた不一致回数Ｎが所定回数Ｎｔｈを超えると、その旨を示す情報が通信インタフェース４８を介して上記管理会社等が管理する外部機器に送信される。
【０１０４】
カウントされた不一致回数Ｎは判定用情報と異なる情報を入力した回数に相当するため、この不一致回数Ｎが所定回数Ｎｔｈを超えた場合には判定用情報を知らない不正利用者が光学的情報読取装置１０を不正に利用していると判断できる。この場合には、その旨を通信インタフェース４８等を介して外部機器に送信することで、外部機器を管理する管理会社等に当該読取装置１０の不正利用を迅速に通報することができる。
【０１０５】
なお、不一致回数Ｎが一定回数Ｎｔｈを超えると、光学的情報読取装置１０を一定時間（ロック時間）だけ使用不能状態となるように制御することもできる。さらに、上記ロック時間経過後に使用可能状態となった後に判定用情報と異なる情報が入力されると、光学的情報読取装置１０が再び使用不能状態となり、その際のロック時間を前回のロック時間よりも延長することもできる。
【０１０６】
なお、上述した不一致回数Ｎのカウント等による不正利用を防止する特徴的構成は、第６実施形態など他の実施形態に適用してもよい。
【０１０７】
なお、本発明は上記各実施形態および変形例に限定されるものではなく、例えば、以下のように具体化してもよい。
（１）読取処理における第２処理では、第２の情報等が表示されることに限らず、第２の情報に関連する情報の出力など第２の情報に基づく制御がなされてもよい。また、読取処理における第１処理では、第１の情報等が表示されることに限らず、第１の情報に関連する情報の出力など第１の情報に基づく制御がなされてもよい。また、読取処理における第３処理では、第３の情報等が表示されることに限らず、第３の情報に関連する情報の出力など第３の情報に基づく制御がなされてもよい。
【０１０８】
（２）判定用情報と比較するための入力情報は、キー操作部４３等の入力操作に応じて入力されることに限らず、例えばタッチパネルの入力操作に応じて入力されてもよいし、無線通信等を利用して外部から情報を受信することで入力されてもよい。
【符号の説明】
【０１０９】
１０…光学的情報読取装置
２８…受光センサ（撮像手段）
４０…制御回路（解読手段，判定手段，制御手段，計時手段，カウント手段）
４３…キー操作部（入力手段）
４６…液晶表示器（表示手段，報知手段）
４８…通信インタフェース（通信手段）
Ｃ…情報制限コード
Ｎ…不一致回数
【図１】
2015069436.tif 000003
【図２】
2015069436.tif 000004
【図３】
2015069436.tif 000005
【図４】
2015069436.tif 000006
【図５】
2015069436.tif 000007
【図６】
2015069436.tif 000008
【図７】
2015069436.tif 000009
【図８】
2015069436.tif 000010
【図９】
2015069436.tif 000011
【図１０】
2015069436.tif 000012
【図１１】
2015069436.tif 000013
【図１２】
2015069436.tif 000014